(57)【特許請求の範囲】
【請求項１】
一対の縦桟間に長手方向複数の伸縮リンクを配置して個別伸縮自在の伸縮単位体を形成するとともに各伸縮単位体の隣接する縦桟同士をその室内側又は室外側端部でヒンジ連結して各伸縮単位体を回動自在とし且つ上記ヒンジ連結した隣接する一方の縦桟に他方の縦桟側に張出突出して隣接する縦桟表面に重合して閉成時に縦桟間に生じるＶ字溝状の隙間を目隠し被覆する隙間目隠しフィンを配設したシャッター本体を形成し，該シャッター本体を湾曲部を介して開口面とその交差方向の収納部に至るように配置した上下に対向一対のガイドレールに上吊り装着することによって交差方向伸縮開閉自在とした横引シャッターにおいて，上記縦桟をアルミ押出材によるものとし，その一方の縦桟に張り出し突出した上記隙間目隠しフィンを該アルミ押出材の肉厚に応じた厚さの平面円弧状に湾曲形成することによってその内側に他方の縦桟外側の前面を略全体に亘って交差方向に重合自在とするとともに上記ガイドレールの湾曲部を１５±３ｃｍ程度の小さな曲率半径とし，該湾曲部の外側にこれを被覆して上記隙間目隠しフィンの交差方向重合による手指に対するカッター作用を解消するように手指差入れ防止用の湾曲部カバーを設置してなることを特徴とする単動伸縮式横引シャッター。
【発明の詳細な説明】
【０００１】
【発明の属する技術分野】
本発明は建物の開口部に設置使用する単動伸縮式シャッターに関する。
【０００２】
【従来の技術及び発明が解決しようとする課題】
本発明者は，一対の縦桟間に長手方向複数の伸縮リンクを配置して個別伸縮自在の伸縮単位体を形成するとともに各伸縮単位体の隣接する縦桟同士をその室内側又は室外側端部でヒンジ連結して各伸縮単位体を回動自在としたシャッター本体と，該シャッター本体を湾曲部を介して開口面とその交差方向の収納部に至るように配置した上下に対向一対のガイドレールに上吊り装着することによって交差方向伸縮開閉自在とした単動伸縮式横引シャッターを提案する一方，該シャッター本体の伸張閉成状態において各伸縮単位体の伸張した伸縮リンクが相互に縮小方向に向けてやや引き合うとともにこの引き合いにより室内側又は室外側端部のヒンジ連結がやや回動する結果，縦桟の非連結側自由端が開くために生じる，各縦桟間のＶ字溝状の隙間を簡易且つ確実に解消して，シャッター本体の外観品質を確保するように，特開２００１−２１４６７６号をもって，上記ヒンジ連結した隣接する一方の縦桟に他方の縦桟側に張出突出して隣接する縦桟表面に重合して閉成時に縦桟間に生じるＶ字溝状の隙間を目隠し被覆する，例えばフィン状の隙間目隠しフィンを配設したシャッター本体とすることを提案している。
【０００３】
上記各伸縮単位体が個別伸縮自在であることによって，同時連動状に伸縮する従前のシャッター本体のように縦桟の間に手を挟まれる可能性を解消することができるが，上記のようにフィン状にして隣接する伸縮単位体の縦桟に重合する隙間目隠しフィンを設置したものにあっては，シャッター本体の閉成時に上下に対向一対のガイドレールにおける湾曲部をシャッター本体が通過し，伸縮単位体同士が開口面で直列状態になる際に，隙間目隠しフィンが隣接する伸縮単位体の縦桟に対して交差方向に重合する結果，例えば上記Ｖ字溝状の隙間に手を差し込んだ状態でシャッター本体を閉成すると，該隙間目隠しフィンのカッター作用によって，場合によって骨折，指の切断等の危険を招く可能性が残ることになる。
【０００４】
特に伸縮単位体の室内側又は室外側端部をヒンジ連結することによってシャッター本体は，例えば１５ｃｍ程度に小さい半径の湾曲部を通過することが可能になり，この場合開口を可及的に大きく確保してシャッター本体を開口面に交差する収納部に収納し得て，コンパクトな形態の横引シャッターとすることができるが，一方で小さな半径の湾曲部で伸縮単位体を直列状態とするために，隙間目隠しフィンの交差方向の重合スピードが早くなるため，上記危険を招く可能性が高くなる。
【０００５】
本発明はかかる事情に鑑みてなされたもので，その解決手段とするところは，上記伸縮単位体のＶ字溝状の隙間を目隠しするフィン状にして隣接する伸縮単位体の縦桟に重合する隙間目隠しフィンを設置することによって生じる該重合時のカッター作用による上記危険を解消することによって安全性を高度に確保し得る単動伸縮式横引シャッターを提供するにある。
【０００６】
【課題を解決するための手段】
上記課題に添って本発明は，上記伸縮単位体が直列状態となるのは，湾曲部から伸縮単位体が開口面に至るガイドレールの湾曲部であるから，ガイドレールの湾曲部をその外側で被覆するように湾曲部カバーを設置することによって，伸縮単位体の縦桟間の上記Ｖ字溝状の隙間にシャッター外から手を差し込み得ないようにして，上記危険を解消するようにしたものであって，即ち請求項１に記載の発明を，一対の縦桟間に長手方向複数の伸縮リンクを配置して個別伸縮自在の伸縮単位体を形成するとともに各伸縮単位体の隣接する縦桟同士をその室内側又は室外側端部でヒンジ連結して各伸縮単位体を回動自在とし且つ上記ヒンジ連結した隣接する一方の縦桟に他方の縦桟側に張出突出して隣接する縦桟表面に重合して閉成時に縦桟間に生じるＶ字溝状の隙間を目隠し被覆する隙間目隠しフィンを配設したシャッター本体を形成し，該シャッター本体を湾曲部を介して開口面とその交差方向の収納部に至るように配置した上下に対向一対のガイドレールに上吊り装着することによって交差方向伸縮開閉自在とした横引シャッターにおいて，上記縦桟をアルミ押出材によるものとし，その一方の縦桟に張り出し突出した上記隙間目隠しフィンを該アルミ押出材の肉厚に応じた厚さの平面円弧状に湾曲形成することによってその内側に他方の縦桟外側の前面を略全体に亘って交差方向に重合自在とするとともに上記ガイドレールの湾曲部を１５±３ｃｍ程度の小さな曲率半径とし，該湾曲部の外側にこれを被覆して上記隙間目隠しフィンの交差方向重合による手指に対するカッター作用を解消するように手指差入れ防止用の湾曲部カバーを設置してなることを特徴とする単動伸縮式横引シャッターとし，これを発明の要旨として上記課題解決の手段としたものである。
【０００７】
【発明の実施の形態】
以下図面の例に従って本発明を更に具体的に説明すれば，Ａは，本例においてアルミ製とした単動伸縮式の横引きシャッター，１は該シャッターＡのシャッター本体，１０はガイドレールであり，上記シャッター本体１は，一対の縦桟３間に長手方向複数の伸縮リンク４を配置して個別伸縮自在の伸縮単位体２を形成するとともに各伸縮単位体２の隣接する縦桟３同士をその室内側又は室外側端部でヒンジ５連結して各伸縮単位体を回動自在とし且つ上記ヒンジ５連結した隣接する一方の縦桟３に他方の縦桟３側に張出突出して隣接する縦桟３表面に重合して閉成時に縦桟３間に生じるＶ字溝状の隙間を目隠し被覆する隙間目隠しフィン３３を配設して形成したものとしてある。
【０００８】
伸縮単位体２は，アルミ押出材によるものとした一対の縦桟３を用い，該一対の縦桟３を，長手方向複数，例えば長手方向に２乃至４箇所程度介設配置した，該一対の縦桟３の前後中間位置の伸縮リンク４によって伸縮自在に連結することによって構成してあり，このとき伸縮リンク４は，伸縮単位体２をそれ自体単独且つ独立して伸縮自在とするものを用いてこれを個別伸縮自在とするようにしてあり，本例の伸縮リンク４は，例えば直線又はＳ字状等適宜形状のアルミ製，例えばアルミ押出材，アルミ鋳物等のリンクバーをＸ字状に配置し，それぞれ一対双方の縦桟２に対して一端を回動自在に軸支し，他端を長手方向にスライド自在に係合し，必要に応じてそのＸ字状の交差位置で相互に回動自在に軸支するようにして，伸縮単位体２の個別伸縮を行なうとともにその一対の縦桟３を連結するようにしてある。
【０００９】
このとき本例の伸縮リンク４は，これを，伸縮単位体２におけるガイドレール１０近傍の長手方向両端部とその中間の２箇所に配置し，これによってシャッター本体１の伸縮を可及的に安定且つ確実に行なうようにしてある。
【００１０】
本例にあって上記隣接する縦桟３同士のヒンジ５連結は，これを，上記伸縮リンク４の室内側又は室外側，本例にあっては室内側の縦桟３端部において行なってあり，これによって個別且つ独立して伸縮する上記伸縮単位体２を多数伸縮方向に連結した伸縮単位体集合体の単動伸縮自在にして回動自在のものとし，上記ガイドレール１０の案内によってこれを開口交差方向に収納自在とするようにしてある。
【００１１】
即ち本例において上記ヒンジ５連結は，隣接する伸縮単位体２の相互に対接する縦桟３における対接側の室内側コーナー部に上記ヒンジ５を配置することによって行なってあり，このとき本例のヒンジ５は，縦桟３にその長手方向全長に設置した一方を軸５１，他方を軸受５２として，これらを嵌合することによって，例えば１／６円乃至１／４円程度の回動範囲を有するアルミ押出材の軸と軸受によるアルミ全面ヒンジを用い，任意のヒンジ５部分においてそれぞれ略直角の室内側に向けた折曲を行ない得るようにしてある。
【００１２】
一方の縦桟３に他方の縦桟３側に張出突出した上記隙間目隠しフィン３３は，これを該一方の縦桟３のアルミ押出材の肉厚に応じた厚さの平面円弧状に湾曲形成することによってその内側に他方の縦桟３外側の前面を略全体に亘って交差方向に重合自在としてあり，本例にあって上記隙間目隠しフィン３３は，隣接する伸縮単位体２の相互に隣接する一方の縦桟３，本例においては開口面１１の戸先側に位置する縦桟３の室外端から他方の縦桟３側に向けて，縦桟３の長手方向全長にして上記ヒンジ５による縦桟３相互の回動を阻害することなく該他方の縦桟３を重合するようにした上記平面円弧状に湾曲形成した湾曲条によるものとして，これら縦桟３間の上記Ｖ字溝状の隙間を目隠しするようにしてある。
【００１３】
即ち本例の縦桟３は，基板３１の伸縮リンク４側に該伸縮リンク４の端部を回動自在に受入固定する受入溝３２を備える構成を共通にするも，基板３１の室内側及び室外側の形状を異にし，また一方に上記隙間目隠しフィン３３を備え，他方にこれを備えないことによって，伸縮単位体２の一対の縦桟３において異なる形状のアルミ押出材を用いて構成してあり，上記一方の隙間目隠しフィン３３を備えた縦桟３の室内側及び室外側端部を平面円弧状に湾曲した形状とし，該円弧を連続するように上記アルミ押出材の肉厚に応じた厚さとすることによって１乃至２ｍｍ程度の肉厚の上記隙間目隠しフィン３３を突出したものとし，上記他方の隙間目隠しフィンを備えない縦桟３の室内側を同じく平面円弧状に湾曲した形状とするとともに室外側を基板３１と直交するようにフラットな形状として，該室外側において上記隙間目隠しフィン３３の内側に入り込むように重合するようにしてあり，このとき本例の一対の縦桟３は，例えば前後長さを５乃至６ｃｍ程度のものとし，その室内側端部において上記ヒンジ５によって連結してあるため，これを伸張閉成すると，例えば最大８乃至９ｍｍ程度の幅の上記Ｖ字溝条の隙間を生じる傾向があるが，上記隙間目隠しフィン３３がこの隙間を被覆する結果，伸張閉成したシャッター本体１の正面に隙間が露出することなく，これを目隠しするようにしてある。
【００１４】
このように形成したシャッター本体１は，これを湾曲部１２を介して開口面１１とその交差方向の収納部１３に至るように配置した上下に対向一対の上記ガイドレール１０に上吊り装着することによって交差方向伸縮開閉自在としてあり，このとき上下に対向一対のガイドレール１０は，同じくアルミ押出材によるものとして，その湾曲部１２を１５±３ｃｍ程度の小さな曲率半径，本例にあっては１５ｃｍ程度の曲率半径としてあり，これによって該ガイドレール１０は，これを，平面略Ｌ字状をなすものとするように上記曲率半径により１／４円湾曲したものとしてある。
【００１５】
上記シャッター本体１の該ガイドレール１０への上吊り装着は，各伸縮単位体２の一対のうち一方の縦桟３の室内外中央位置に回転自在の上吊りローラー６と振れ止めローラー，ピン，スラシ等，本例にあっては回転自在の振れ止めローラー７を設置し，これら上吊りローラー６を上枠の上位ガイドレール１０に載置し，振れ止めローラー７において下枠の下位ガイドレール１０に嵌挿して，それぞれガイドレール１０による開閉案内を行なうようにしてあり，上記小さな曲率半径にして１／４円とした湾曲部１２は，これら上吊りローラー６，振れ止めローラー７が回転しながらガイドレール１０によって案内されて進行するのに必要且つ十分なものとなり，湾曲部１２が開口面１１の端部に位置して該開口面１１とこれに交差する収納部１３との間でシャッター本体１の開閉をスムーズになし得て横引シャッターＡを全体としてコンパクトに構成したものとしてある。
【００１６】
このとき上下に対向一対のガイドレールにおける湾曲部１２外側にこれを被覆して上記隙間目隠しフィン３３の交差方向重合による手指に対するカッター作用を解消するように手指差入れ防止用の湾曲部カバー１４を設置したものとしてあり，該湾曲部１２が外側に露出するのを防止してある。
【００１７】
本例の湾曲部カバー１４は，上下左右の枠組を施し，これに例えばアルミ等の金属，樹脂，木等のパネルを張設した細幅縦長のパネル体によるものとしてあり，このとき該湾曲部カバー１４は，その高さを横引シャッターＡに合わせるとともに，上記曲率半径１５ｃｍにして１／４円の湾曲部１２を被覆するように幅を約２０ｃｍ程度，本例にあっては２３ｃｍとしてあり，該湾曲部カバー１４は，これを開口面１１側の一側端上下を，例えば躯体の鉄筋に対してアンカー１５によって固定したり，ガイドレール１０に対してブラケット１６によって固定し，また上記壁面側の他側端上下を，例えば壁面や仕切パネルの柱等にブラケット１６によって固定することによって，開口面１１に沿ってその天井と床間を覆うように起立設置し，上記上下に対向一対のガイドレール１０の外側に，例えばこれと２ｃｍ程度の小間隔を介して，該開口面１１の端部位置において湾曲部１２が露出するのを防止するようにしてある。
【００１８】
従って本例のシャッターＡにあって，シャッター本体１を開成するには，例えばシャッター本体１の戸先框８を室内側又は室外側において開成方向，即ち収納部１３側に押圧するようにすれば，各伸縮単位体２の伸縮リンク４が押圧力を受けて，各伸縮単位体２が順次縮小して折り畳まれて，上記湾曲部１３に至り，なお押圧することによって該縮小状態で湾曲部１２を通過して収納部１３に送られてこれに収納されて縮小開成が完了する一方，シャッター本体１を閉成するには，該収納部１１に収納されたシャッター本体１の上記戸先框８を，室内側において閉成方向，即ち開口面１１側に引出すようにすれば，先行する伸縮単位体２の伸縮リンク４が引張力を受けて，該先行する伸縮単位体２から順次伸張し，湾曲部１２に至り，なお引出すことによって該伸張状態で湾曲部１２を通過して開口面１１に引出されて伸張閉成が完了するが，該伸張閉成に際して，上記湾曲部１２から開口面１１に至る際に，伸縮単位体２はガイドレール１０の案内によって強制的に直列状態とされ，各伸縮単位体２間で上記隙間目隠しフィン３３が隣接する伸縮単位体２の縦桟３に重合する結果，該縦桟３の重合前に該縦桟３間に手や指を入れると，交差方向に重合し，本例において上記１乃至２ｍｍ程度の肉厚とした隙間目隠しフィン３３とこれが重合する縦桟３の基板３１との間で隙間目隠しフィン３３がカッターのように作用することによって怪我や，場合によっては指を切断したりする可能性が残るが，上記湾曲部１２外側の湾曲部カバー１４が，湾曲部１２を被覆して該隙間目隠しフィン３３のその露出を防止し，その手指差入れ防止用のものとなり，児童の興味本位のいたずら等を含めて，人が縦桟３間に手を差し入れたりする可能性を解消し，湾曲部１２における該隙間目隠しフィン３３が，その交差方向重合時の手指に対するカッター作用によって，上記骨折，指の切断等の危険を解消することができる。
【００１９】
図示した例は以上のとおりとしたが，上記伸縮リンクを伸縮単位体の上下両端部に設置し，単一又は複数の伸縮単位体の上記伸縮リンク間中間位置に装飾リンクを配置して該装飾リンクによる文字や図形を表出するようにし，或いは装飾リンクと縦桟に着色したり，縦桟に部材を固定配置することによる桟装飾部とを配置してこれら装飾リンクと桟装飾部とによる文字や図形を表出するようにして，装飾付きのシャッター本体を用いるようにすること，湾曲部カバーを透視性を有するメッシュ材によるものとすること，湾曲部カバーをガイドレールと別に天井と床面間に設置し，また壁面に設置するようにすること等を含めて，本発明の実施に当たって，一対の縦桟，伸縮リンク，伸縮単位体，シャッター本体，ガイドレール，隙間目隠しフィン，湾曲部カバー等の各具体的形状，材質，構造，これらの関係，これらに対する付加等は，上記発明の要旨に反しない限り様々な形態のものとすることができる。
【００２０】
【発明の効果】
本発明は以上のとおりに構成したから，伸縮単位体のＶ字溝状の隙間を目隠しするフィン状にして隣接する伸縮単位体の縦桟に重合する隙間目隠しフィンを設置することによって生じる該重合時のカッター作用による上記危険を解消することによって安全性を高度に確保し得る単動伸縮式横引シャッターを提供することができる。
【図面の簡単な説明】
【図１】    単動伸縮式シャッターの正面図である。
【図２】    単動伸縮式シャッターの縦断面図である。
【図３】    単動伸縮式シャッターの横断面図である。
【図４】    湾曲部カバーの固定状態を示す縦断面図である。
【図５】    湾曲カバーの固定状態を示す横断面図である。
【図６】    ヒンジ連結した縦桟が閉じた状態を示す部分拡大横断面図である。
【図７】    ヒンジ連結した縦桟が開いた状態を示す部分拡大横断面図である。
【符号の説明】
Ａ  単動伸縮式シャッター
１  シャッター本体
２  伸縮単位体
３  桟
４  伸縮リンク
５  ヒンジ
１０  ガイドレール
１２  湾曲部
１３  収納部
１４  湾曲部カバー
３３  隙間目隠しフィン
【図１】
0004495320.tif 000002
【図２】
0004495320.tif 000003
【図３】
0004495320.tif 000004
【図４】
0004495320.tif 000005
【図５】
0004495320.tif 000006
【図６】
0004495320.tif 000007
【図７】
0004495320.tif 000008